(57)【要約】【課題】  本発明は、ショルダーバッグを肩に掛けて歩行すると、歩行中の振動で肩から下にひもがずれ落ちてくるのを防止し、ずれてくる煩わしさを解消するため、首に掛けて、肩からずれ落ちないように工夫した、肩からずれ落ち防止具を提供する。【解決手段】  首に掛ける本体部（１）と本体部（１）に装着するひっかけフック部（２）を設け、本体部（１）は、若干弾力性のある直径約２０ｍｍの棒状の樹脂を首に掛けやすいように半円形に曲げ、さらに、両端約３０ｍｍを残し、本体部（１）の中央をひっかけフック部（２）にフック止めネジ（６）を設け、本体部（１）に直径約５ｍｍ幅でフック移動レール（３）を設け、フック移動レール（３）にショルダーバッグのひもをひっかけるフック止めネジ（６）を設け、盗難防止具（４）に盗難防止押え具（５）、盗難防止押えネジ（７）を設けたことを特徴とする肩からずれ落ち防止具。【選択図】図１
2013236883.tif 000002
【特許請求の範囲】
【請求項１】
首に掛ける本体部（１）と本体部（１）に装着するずれ落ち防止フック（２）を設け、本体部（１）は、若干弾力性のある直径約２０ｍｍの棒状の樹脂を首に掛けやすいように半円形に曲げ、さらに、両端約３０ｍｍを残し、本体部（１）の中央をずれ落ち防止フック（２）にフック止めネジ（６）を設け、本体部（１）に直径約５ｍｍ幅でフック移動レール（３）を設け、フック移動レール（３）にショルダーバッグのひもをひっかけるフック止めネジ（６）を設け、盗難防止具（４）に盗難防止押え具（５）、盗難防止押えネジ（７）を設けたことを特徴とする肩からずれ落ち防止具。
【発明の詳細な説明】
【技術分野】
【０００１】  本発明は、ショルダーバッグを肩に掛けて歩行すると、歩行中の振動で肩から下にひもがずれ落ちてくるのを防止し、ずれてくる煩わしさを解消するため、首に掛けて、肩からずれ落ちないように工夫した、肩からずれ落ち防止具に関するものである。
【背景技術】
【０００２】  従来、外出するときにショルダーバッグを肩に掛けて歩くが、歩行中の振動により肩に掛けているひもがずれ落ち、その都度、手で元の位置に戻していた。
何度もずれ落ちが発生するたびに、手で肩の位置まで引き上げなければならず、この手作業は、非常に煩わしかった。
誰でも肩まで戻す煩雑な作業を何度も繰り返さなければならなかった。
この作業を避けるために、仕方なくひもを首からたすき掛けにしていた。
しかし、たすき掛けにすると、頭をくぐらせなければならなくなり、ひもの着脱は極めて厄介であった。
【先行技術文献】
【特許文献】
【０００３】
【特許文献１】  特願２００５−１９０５６６号公報
【発明の概要】
【発明が解決しようとする課題】
【０００４】  肩から掛けるショルダーバッグは、肩幅の広い人でも歩行の際の振動により、肩からずれ落ちてくるものであった。
ずれ落ちてくるひもを繰り返し、元の肩の位置まで戻す煩雑な作業は、非常に面倒であった。
とくに、なで肩の多い女性にとっては、気になって仕方のないものであった。
本発明は、この煩雑な手作業を繰り返す必要がないように、以上の問題点を解決するためになされたものである。
【課題を解決するための手段】
【０００５】  首に掛ける本体部（１）と本体部（１）に装着するずれ落ち防止フック（２）を設ける。
本体部（１）は、若干弾力性のある直径約２０ｍｍの棒状の樹脂を首に掛けやすいように半円形に曲げ、さらに、両端約３０ｍｍを残し、本体部（１）の中央をずれ落ち防止フック（２）にフック止めネジ（６）を設ける。
本体部（１）に直径約５ｍｍ幅でフック移動レール（３）を設ける。
フック移動レール（３）にショルダーバッグのひもをひっかけるフック止めネジ（６）を設ける。
盗難防止具（４）に盗難防止押え具（５）、盗難防止押えネジ（７）を設ける。
以上のように構成された肩からずれ落ち防止具である。
【発明の効果】
【０００６】  本発明の重量が約６０グラムと軽い。
ずれ落ち防止フック（２）の取り付け、取り外しが簡単にできる。
歩行中、ショルダーバッグがずれ落ちる煩わしさが一切ない。
本発明を首に掛けても、着衣が乱れや左右にずれることもない。
ショルダーバッグを肩に掛けた時点で、いちいち片手で押さえておく必要がなく、両手が自由に使える。
素材を若干弾力性のあるものにしてあるため、使用中に延び切ったり、切れたりしない。
ずれ落ち防止フック（２）を移動させるレールを設けたため、肩の左右どちらのサイドにもネジを緩めたり、締めたりすることで移動が自由で、フック止めネジ（６）をいちいち取り外さなくても使える。
着衣の種類に合わせることが可能である。
背広、スプリングコート、オーバーコート、ジャンパー等の襟の中に本発明を挟み込む方法で、ずれ落ち防止効果が高くなる。
また、本発明が襟の中に隠れることから、外見上目立たなくなる。
ひったくり防止用として、ずれ落ち防止フック（２）に細工を施した。
【図面の簡単な説明】
【０００７】
【図１】肩からずれ落ちないように工夫した、肩からずれ落ち防止具を示した説明図である。
【発明を実施するための形態】
【０００８】  首に掛ける本体部（１）と本体部（１）に装着するずれ落ち防止フック（２）を設ける。
本体部（１）は、若干弾力性のある直径約２０ｍｍの棒状の樹脂を首に掛けやすいように半円形に曲げ、さらに、両端約３０ｍｍを残し、本体部（１）の中央をずれ落ち防止フック（２）にフック止めネジ（６）を設ける。
本体部（１）に直径約５ｍｍ幅でフック移動レール（３）を設ける。
フック移動レール（３）にショルダーバッグのひもをひっかけるフック止めネジ（６）を設ける。
盗難防止具（４）に盗難防止押え具（５）、盗難防止押えネジ（７）を設ける。
以上のように構成された肩からずれ落ち防止具である。
ずれ落ち防止フック（２）をフック止めネジ（６）式に細工したのは、左肩にひもを掛けたい人、右肩にひもを掛けたい人が各々好みに応じてひもを掛ける丁度の位置までずれ落ち防止フック（２）を移動させ、バランスが取れる所で止め、フック止めネジ（６）を締められるようにしたものである。
ショルダーバッグのひもをひっかけるずれ落ち防止フック（２）は、基本的には金属製板を曲げた形にしておく。
ずれ落ち防止フック（２）の固定位置の目安は、首の横付近が良い。
ずれ落ち防止フック（２）の突出部サイズは、ショルダーバッグのひもを肩に掛けて、歩行中にひもがはずれない約３０ｍｍから約５０ｍｍ程度の高さにしておく。
ずれ落ち防止フック（２）のフック止めネジ（６）は、半円形本体の外側から内側に抜けるように差し込み、内側からはメスネジで仮止めしておく。
本発明を手に取り、首の後側から前部に押し出すように掛ける。
ショルダーバッグのひもを、このずれ落ち防止フック（２）に掛け、仮止めしておいたメスネジを締める。
本体部（１）の材料は、弾力性のある素材とする。
本発明の先端に近い所から、ずれ落ち防止フック（２）のフック止めネジ（６）通過用のフック移動レール（３）を端から端まで溝をつけた構造にしておく。
使用時には、このフック移動レール（３）に挟んだフック止めネジ（６）を緩め、移動させ、丁度よい具合の場所で止めておく。
フック移動レール（３）の効果は、左肩、右肩各々の好みに合わすことができる利点を持つ。
このずれ落ち防止フック（２）にショルダーバッグのひもを掛けることは、極めて容易なことであり、装着後ショルダーバッグ歩行中の振動が少なく、ずれ落ち防止フック（２）がクッション代わりとなり、ずれ落ちを防止する。
【符号の説明】
【０００９】１  本体部
２  ずれ落ち防止フック
３  フック移動レール
４  盗難防止具
５  盗難防止押え具
６  フック止めネジ
７  盗難防止押えネジ
【図１】
2013236883.tif 000003